(57)【要約】      （修正有）【課題】表層の冷感性と冷感持続性が向上した冷感性を有する印刷生地の寝具を提供する。【解決手段】冷感性を有する印刷生地の寝具は、寝具本体を含み、寝具本体は表層と下層からなり、表層と下層の間にフィラーが充填され、表層、フィラーおよび下層同士は縫い糸１０１によって固定的に接続され、表層は冷感性を有する印刷生地であり、表層はベース層１０６およびベース層１０６の表面に位置する冷感性を有する材料層１０５を含み、冷感性を有する材料層１０５とベース層１０６同士は印刷およびエンボスによって接続される。寝具は、その表層が安定した性能を有する冷感性を有する印刷生地で形成され、表層の冷感性および冷感持続性が向上し、冷感性を有する印刷生地は、冷感性を３５％向上させることができる。【選択図】図２
0003231729.tif 000002
【実用新案登録請求の範囲】
【請求項１】
寝具本体を含み、前記寝具本体は表層（１０）および下層（１１）を含み、前記表層（１０）と前記下層（１１）の間にフィラーが充填され、前記表層（１０）、前記フィラーおよび前記下層（１１）同士は縫い糸（１０１）によって固定的に接続され、
前記表層（１０）はベース層（１０６）およびベース層（１０６）の表面に位置する冷感性を有する材料層（１０５）を含み、前記冷感性を有する材料層（１０５）と前記ベース層（１０５）同士は印刷およびエンボスによって接続されて、前記表層（１０）は冷感性を有する印刷生地を形成する、ことを特徴とする冷感性を有する印刷生地を備える寝具。
【請求項２】
前記冷感性を有する材料層（１０５）は、前記ベース層（１０６）の表面に間隔を置いて配置された印刷パターンが形成される、ことを特徴とする請求項１に記載の冷感性を有する印刷生地を備える寝具。
【請求項３】
前記印刷パターンは、間隔を置いて交互に配置された第１の印刷パターンおよび第２の印刷パターンを含み、前記第１の印刷パターンは正八角形構造または円形構造であり、前記第２の印刷パターンは正四角形構造である、ことを特徴とする請求項２に記載の冷感性を有する印刷生地を備える寝具。
【請求項４】
前記冷感性を有する材料層（１０６）は、ＰＣＭ温度調整カプセルによって形成された印刷コーティング層である、ことを特徴とする請求項３に記載の冷感性を有する印刷生地を備える寝具。
【請求項５】
前記冷感性を有する材料層（１０６）の厚さは０．０５〜０．５ｍｍである、ことを特徴とする請求項４に記載の冷感性を有する印刷生地を備える寝具。
【請求項６】
前記冷感性を有する材料層（１０６）の隣接する２つの印刷パターン間の距離が０．１〜２ｃｍである、ことを特徴とする請求項５に記載の冷感性を有する印刷生地を備える寝具。
【請求項７】
前記ベース層（１０５）上の前記冷感性を有する材料層（１０６）の単位面積あたりの重量が３０ｇ／ｍ２〜１００ｇ／ｍ２である、ことを特徴とする請求項６に記載の冷感性を有する印刷生地を備える寝具。
【請求項８】
前記寝具本体の下層（１１）上に突起（１０８）が設けられ、前記突起（１０８）が前記寝具本体（１０）の下層の表面から突出して設けられ、前記突起（１０８）はシリコン突起である、ことを特徴とする請求項１に記載の冷感性を有する印刷生地を備える寝具。
【請求項９】
前記寝具本体の下層（１１）のコーナーには、弾性固定バンド（１０２）がさらに設けられ、前記弾性固定バンド（１０２）の両端はそれぞれ寝具本体の隣接する両側縁に接続される、ことを特徴とする請求項１に記載の冷感性を有する印刷生地を備える寝具。
【請求項１０】
前記寝具本体の外縁に、前記表層（１０）と前記下層（１１）を固定的に接続するための縁取り（１０４）が設けられる、ことを特徴とする請求項１に記載の冷感性を有する印刷生地を備える寝具。
【考案の詳細な説明】
【技術分野】
【０００１】
本考案は、日用品の技術分野に関し、特に冷感性を有する印刷生地を備える寝具に関する。
【背景技術】
【０００２】
生活水準の継続的な改善に伴い、人々は生地の機能性、快適性に対する要求をますます高めている。暑い時期には体は汗をかきやすく、汗の大部分は、蒸発、拭き取り、ぴったりとした服の吸収、または皮膚に接触している他の布の吸収によって排出される。したがって、暑い夏には、肌に触れる生地がより涼しく、通気性があり、柔らかく、吸湿性があることを人々は望んでいる。冷感性を有する生地は、肌からの熱を素早く放出し、発汗を促進し、体温を下げ、人々を涼しく感じさせることができるため、現在、夏の家庭用品の主な選択肢となっている。
【０００３】
本出願者は、従来技術には少なくとも以下の技術的問題があることを発見した。従来技術の寝具及び皮膚と接触する生地も通常、人々が睡眠中に凉しく感じるように冷感性を有する生地を使用しているが、従来の冷感性を有する生地は実際の使用では、冷感効果が悪く、冷感効果の持続時間が短く、一般的に３０分程度使用すると使用感が通常の生地と変わらなくなり、人々の使用効果に大きく影響を及ぼす。
【考案の概要】
【０００４】
本考案の目的は、従来技術の寝具生地の冷感効果が低いという技術的問題を解決した冷感性を有する印刷生地を備える寝具を提供することである。本考案によって提供されるさまざまな技術的解決策の中の好ましい技術的解決策によって生み出される多くの技術的効果を以下に詳細に説明する。
上記の目的を達成するために、本考案は以下の技術的解決策を提供する。
【０００５】
本考案によって提供される冷感性を有する印刷生地を備える寝具は、寝具本体を含み、前記寝具本体は表層および下層を含み、前記表層と前記下層の間にフィラーが充填され、前記表層、前記フィラーおよび前記下層同士は縫い糸によって固定的に接続され、
【０００６】
前記表層はベース層と、ベース層の表面に位置する冷感性を有する材料層を含み、前記冷感性を有する材料層と前記ベース層同士は印刷およびエンボスによって接続されて、前記表層は冷感性を有する印刷生地を形成する。
好ましい実施形態によれば、前記冷感性を有する材料層は、前記ベース層の表面に間隔を置いて配置された印刷パターンが形成される。
【０００７】
好ましい実施形態によれば、前記印刷パターンは、間隔を置いて交互に配置された第１の印刷パターンおよび第２の印刷パターンを含み、前記第１の印刷パターンは正八角形構造または円形構造であり、前記第２の印刷パターンは正四角形構造である。
好ましい実施形態によれば、前記冷感性を有する材料層は、ＰＣＭ温度調整カプセルによって形成された印刷コーティング層である。
好ましい実施形態によれば、前記冷感性を有する材料層の厚さは０．０５〜０．５ｍｍである。
好ましい実施形態によれば、前記冷感性を有する材料層の隣接する２つの印刷パターンの間の距離は０．１〜２ｃｍである。
好ましい実施形態によれば、前記ベース層上の前記冷感性を有する材料層の単位面積あたりの重量は３０ｇ／ｍ２〜１００ｇ／ｍ２である。
【０００８】
好ましい実施形態によれば、前記寝具本体の下層に突起が設けられ、前記突起は前記寝具本体の下層の表面から突出して設けられ、前記突起はシリコン突起である。
【０００９】
好ましい実施形態によれば、前記寝具本体の下層のコーナーに、弾性固定バンドがさらに設けられ、前記弾性固定バンドの両端はそれぞれ寝具本体の隣接する両側縁に接続される。
好ましい実施形態によれば、前記寝具本体の外縁に、前記表層と前記下層を固定的に接続するための縁取りが設けられる。
上記の技術的解決策に基づいて、本考案の冷感性を有する印刷生地を備える寝具は、少なくとも以下の有益な技術的効果を有する。
【考案の効果】
【００１０】
本考案の冷感性を有する印刷生地を備える寝具は寝具本体を含み、寝具本体は表層と下層を含み、表層と下層の間にフィラーが充填され、表層、フィラーおよび下層同士は縫い糸によって固定的に接続され、表層はベース層とベース層の表面に位置する冷感性を有する材料層を含み、冷感性を有する材料層とベース層同士は印刷およびエンボスによって接続されて表層は冷感性を有する印刷生地を形成する。寝具の表層は安定した性能を有する冷感性を有する印刷生地を形成し、表層の冷感性と冷感持続性が向上し、本考案の寝具本体の表層の冷感性を有する印刷生地は、冷感性を３５％向上させることができる。
【図面の簡単な説明】
【００１１】
本考案の実施例または従来技術の技術的解決策をより明確に説明するために、以下実施例または従来技術の説明で使用する必要がある図面を簡単に説明するが、以下説明する図面は本考案のいくつかの実施例に過ぎず、当業者であれば創造的な労働をせずにこれらの図面に基づいて他の図面を得ることができるのは明らかである。
【図１】本考案の冷感性を有する印刷生地を備える寝具の表層構造の概略図である。
【図２】図１におけるＡの拡大図である。
【図３】本考案の冷感性を有する印刷生地を備える寝具の下層構造の概略図である。
【図４】図３中Ｂにおける拡大図である。
【考案を実施するための形態】
【００１２】
本考案の目的、技術的解決策および利点をより明確に説明するために、以下、本考案の技術的解決策を詳細に説明する。明らかに、説明される実施例は本考案の一部の実施例に過ぎず、すべての実施例ではない。本考案の実施例に基づいて、当業者が創造的な労働をせずに得られた他の実施形態は、すべて本考案の保護範囲に含まれる。
【００１３】
本考案を説明するには、特に明記しない限り、「複数」は２つまたは２つ以上の意味を指し、「上」、「下」、「左」、「右」、「内」、「外」、「前端」、「後端」、「ヘッド部」、「テール部」などの用語で示される方位または位置関係は、図面に基づく方位または位置関係であり、本考案の説明を簡素化するためのものであり、言及される装置またはデバイスが特定の方位を有し、特定の方位で構築および操作されなければならないことを示したり暗示したりするものではなく、本考案の制限として理解することができない。さらに、「第１」、「第２」、「第３」などの用語は、説明の目的でのみ使用され、相対的な重要性を示したり暗示したりするものとして理解することができない。
【００１４】
本考案の説明では、特に明確な規定および限定がない限り、「取付」、「連結」、「接続」という用語は、広い意味で理解されるべきであり、例えば、固定的な接続、着脱可能な接続、または一体的接続であってもよく、機械的な接続、電気的な接続であってもよく、直接接続、中間媒体を介する間接接続であってもよい。当業者は、具体的な状況に応じて本考案での上記の用語の具体的な意味を理解すべきである。
以下、明細書の図面を参照して本考案の技術的解決策を詳細に説明する。
【００１５】
図１〜図４に示すように、本考案によって提供される冷感性を有する印刷生地を備える寝具は、寝具本体を含み、寝具本体は表層１０と下層１１を含む。表層１０と下層１１の間にフィラーが充填され、表層１０、フィラーおよび下層１１同士は縫い糸１０１によって固定的に接続され、寝具本体の内部フィラーは変位しにくく、フィラーは寝具の柔軟性と快適性を向上させ、縫い糸によって寝具本体の下層と表層を縫い付けて固定し、使用中のフィラーの変位を防止するために、内部フィラーを固定する。表層１０は冷感性を有する印刷生地であり、表層１０はベース層１０６とベース層１０６の表面に位置する冷感性を有する材料層１０５を含み、冷感性を有する材料層１０５とベース層１０６間が印刷およびエンボスによって接続され、表層１０は冷感性を有する印刷生地を形成する。寝具本体の表層は安定した性能を有する冷感性を有する印刷生地を形成する。冷感性を有する材料層とベース層を印刷およびエンボスによって接続することで、冷感性を有する材料層の耐久性を高めるとともに、表層の冷感性と冷感持続性も向上する。
【００１６】
好ましくは、図２に示すように、冷感性を有する材料層１０５は、ベース層１０６の表面に間隔を置いて配置された印刷パターンが形成される。好ましくは、印刷パターンは、間隔を置いて交互に配置された第１の印刷パターンおよび第２の印刷パターンを含み、第１の印刷パターンは正八角形構造または円形構造であり、第２の印刷パターンは正四角形構造である。印刷パターンの形状は、異なる要求に応じて様々なパターン形状とサイズに形成することもできる。
【００１７】
好ましくは、冷感性を有する材料層１０６は、ＰＣＭ温度調整カプセルによって形成された印刷コーティング層である。触って感じることができる接触冷感を表層に与えることができる。
【００１８】
好ましくは、冷感性を有する材料層１０６の厚さは０．０５〜０．５ｍｍである。好ましくは、冷感性を有する材料層１０６の隣接する２つのパターンの間の距離は０．１〜２ｃｍである。好ましくは、ベース層１０５上の冷感性を有する材料層１０６の単位面積あたりの重量は３０ｇ／ｍ２〜１００ｇ／ｍ２である。表層生地の冷感性と冷感持続性が向上する。好ましくは、本考案の寝具本体の表層には下層の材質は冷感性を有する生地であってもよく通常の生地であってもよい。
【００１９】
好ましくは、図４に示すように、寝具本体の下層１１上に突起１０８が設けられる。突起１０８は寝具本体１０の下層の表面から突出して設けられ、突起１０８はシリコン突起である。好ましくは、突起１０８は一定の規則に従って寝具本体の下層に分布され、寝具本体の接触面の摩擦力を高める。
【００２０】
好ましくは、寝具本体の下層１１のコーナーに弾性固定バンド１０２がさらに設けられる。弾性固定バンド１０２の両端は、それぞれ寝具本体の隣接する両側縁に接続される。弾性固定バンド１０２は、寝具本体のコーナーをマットレスまたはソファークッションの底部に固定して、補助的な固定機能を果たす。
好ましくは、寝具本体の外縁に縁取り１０４が設けられる。好ましくは、縁取り１０４は寝具本体の表層と下層を接続するために使用される。
【００２１】
本考案の冷感性を有する印刷生地を備える寝具は、良好な冷感効果を有し、冷感効果の持続性を効果的に高めることができる。本考案の冷感性を有する印刷生地は、生地の冷感性を３５％向上させることができる。そして、本考案は、ＰＣＭ温度調整カプセルを含む冷感性を有する材料層とベース層を印刷およびエンボスによって接続することで、ベース層生地上の冷感性を有する材料の接続性および安定性を改善し、使用効果がより良好になる。
【００２２】
以上、本考案の具体的な実施形態を説明したが、本考案の保護範囲はこれに限定されない。当業者であれば、本考案が開示した技術的範囲内で容易に変更や置換を想到でき、それらはすべて本考案の保護範囲に含まれるべきである。したがって、本考案の保護範囲は、実用新案登録請求の範囲によって示される。
【符号の説明】
【００２３】
１０      表層
１１      下層
１０１    縫い糸
１０２    弾性固定バンド
１０４    縁取り
１０５    冷感性を有する材料層
１０６    ベース層
１０８    突起
【図１】
0003231729.tif 000003
【図２】
0003231729.tif 000004
【図３】
0003231729.tif 000005
【図４】
0003231729.tif 000006
【手続補正書】
【提出日】令和3年2月19日(2021.2.19)
【手続補正１】
【補正対象書類名】実用新案登録請求の範囲
【補正対象項目名】全文
【補正方法】変更
【補正の内容】
【実用新案登録請求の範囲】
【請求項１】
寝具本体を含み、前記寝具本体は表層（１０）および下層（１１）を含み、前記表層（１０）と前記下層（１１）の間にフィラーが充填され、前記表層（１０）、前記フィラーおよび前記下層（１１）同士は縫い糸（１０１）によって固定的に接続され、
前記表層（１０）はベース層（１０６）およびベース層（１０６）の表面に位置する冷感性を有する材料層（１０５）を含み、前記冷感性を有する材料層（１０５）と前記ベース層（１０６）間は印刷およびエンボスによって接続されて、前記表層（１０）は冷感性を有する印刷生地を形成する、ことを特徴とする冷感性を有する印刷生地を備える寝具。
【請求項２】
前記冷感性を有する材料層（１０５）は、前記ベース層（１０６）の表面に間隔を置いて配置された印刷パターンが形成される、ことを特徴とする請求項１に記載の冷感性を有する印刷生地を備える寝具。
【請求項３】
前記印刷パターンは、間隔を置いて交互に配置された第１の印刷パターンおよび第２の印刷パターンを含み、前記第１の印刷パターンは正八角形構造または円形構造であり、前記第２の印刷パターンは正四角形構造である、ことを特徴とする請求項２に記載の冷感性を有する印刷生地を備える寝具。
【請求項４】
前記冷感性を有する材料層（１０５）は、ＰＣＭ温度調整カプセルによって形成された印刷コーティング層である、ことを特徴とする請求項３に記載の冷感性を有する印刷生地を備える寝具。
【請求項５】
前記冷感性を有する材料層（１０５）の厚さは０．０５〜０．５ｍｍである、ことを特徴とする請求項４に記載の冷感性を有する印刷生地を備える寝具。
【請求項６】
前記冷感性を有する材料層（１０５）の隣接する２つの印刷パターン間の距離が０．１〜２ｃｍである、ことを特徴とする請求項５に記載の冷感性を有する印刷生地を備える寝具。
【請求項７】
前記ベース層（１０６）の表面に配置される前記冷感性を有する材料層（１０５）の単位面積あたりの重量が３０ｇ／ｍ２〜１００ｇ／ｍ２である、ことを特徴とする請求項６に記載の冷感性を有する印刷生地を備える寝具。
【請求項８】
前記寝具本体の下層（１１）上に突起（１０８）が設けられ、前記突起（１０８）が前記寝具本体の下層（１１）の表面から突出して設けられ、前記突起（１０８）はシリコン突起である、ことを特徴とする請求項１に記載の冷感性を有する印刷生地を備える寝具。
【請求項９】
前記寝具本体の下層（１１）のコーナーには、弾性固定バンド（１０２）がさらに設けられ、前記弾性固定バンド（１０２）の両端はそれぞれ寝具本体の隣接する両側縁に接続される、ことを特徴とする請求項１に記載の冷感性を有する印刷生地を備える寝具。
【請求項１０】
前記寝具本体の外縁に、前記表層（１０）と前記下層（１１）を固定的に接続するための縁取り（１０４）が設けられる、ことを特徴とする請求項１に記載の冷感性を有する印刷生地を備える寝具。